(57)【特許請求の範囲】
【請求項１】
画像データ及び音声データの記録と再生とが可能で、画像データから再生した画像を表示する表示手段を備え、電源のオン／オフが可能なデジタルカメラにおいて、
インターホンの室外ユニットに設けられたスイッチが操作されたことに応答して前記電源がオンされたときに前記室外ユニットから送信された音声データが入力される入力端子と、この入力端子からの音声データをメモリに予め記録された音声データと照合し、それぞれの音声データが一致するか否かを判定する判定手段と、この判定手段により一致が判定されたときには、メモリカードにその音声データに対応づけて記録された画像データから画像を再生して前記表示手段に表示し、前記入力された音声データに応じた制御が終了したことに応答して前記電源がオフされたときに前記表示手段への画像表示を終了する表示制御手段とを備え、
前記メモリに記録した音声データを、前記判定手段により一致が判定されたときに前記室外ユニットに入室許可信号を送信するデータと、前記判定手段により一致が判定されたときにアナウンスをするデータとに分類分けしたことを特徴とするデジタルカメラ。
【請求項２】
前記室外ユニットから送信された音声データと、送信された時間データとを記憶する記憶手段を備えたことを特徴とする請求項１記載のデジタルカメラ。
【発明の詳細な説明】
【０００１】
【発明の属する技術分野】
本発明は画像データの記録及び再生のほかに、音声データの記録及び再生が可能なデジタルカメラに関し、詳しくはインターホンの室内ユニットとして用いることができるようにしたデジタルカメラに関するものである。
【０００２】
【従来の技術】
デジタルカメラは、被写体を撮像して得た撮像信号をデジタル変換して画像データとして内蔵メモリあるいは着脱式の外部メモリに記録し、また、メモリから読み出した画像データから画像を再生し、ＬＣＤ（液晶）表示パネルなどに表示する機能を備えている。さらに、最近のデジタルカメラの中には音声データの記録及び再生機能を備えているものもある。
【０００３】
【発明が解決しようとする課題】
ところが、デジタルカメラは一般に自宅外で用いられ、自宅内では電源電池の充電を行う程度であることが多い。もちろん、画像の再生や自宅内のパソコンに接続して画像処理や編集などを行うユーザも少なくないが、自宅内ではほとんどの時間、デジタルカメラは単に放置されているのが通常である。
【０００４】
本発明は上記事情を考慮してなされたもので、デジタルカメラが備えた画像の表示機能及び音声データの記録、再生機能に着目し、自宅内でデジタルカメラとして使用する必要がないときに、これをインターホンの室内ユニットとして利用することができるようにしたデジタルカメラを提供することを目的とする。
【０００５】
【課題を解決するための手段】
本発明は上記目的を達成するために、画像データ及び音声データの記録と再生とが可能で、画像データから再生した画像を表示する表示手段を備え、電源のオン／オフが可能なデジタルカメラにおいて、インターホンの室外ユニットに設けられたスイッチが操作されたことに応答して前記電源がオンされたときに前記室外ユニットから送信された音声データが入力される入力端子と、この入力端子からの音声データをメモリに予め記録された音声データと照合し、それぞれの音声データが一致するか否かを判定する判定手段と、この判定手段により一致が判定されたときには、メモリカードにその音声データに対応づけて記録された画像データから画像を再生して前記表示手段に表示し、前記入力された音声データに応じた制御が終了したことに応答して前記電源がオフされたときに前記表示手段への画像表示を終了する表示制御手段とを備え、前記メモリに記録した音声データを、前記判定手段により一致が判定されたときに前記室外ユニットに入室許可信号を送信するデータと、前記判定手段により一致が判定されたときにアナウンスをするデータとに分類分けしたことを特徴とする。デジタルカメラにはＣＰＵを含むシステムコントローラが内蔵され、様々なデジタル処理を行うことが可能であるため、上述のように判定手段により音声データの一致が識別されたときには、その一致信号を入室許可信号としてインターホンの室外ユニットに送信することもでき、これによりドアロックを自動解除するなどの対応をとることも簡便になる。
【０００６】
さらに、前記室外ユニットから送信された音声データと、送信された時間データとを記憶する記憶手段を備えることが好ましい。
【０００７】
【発明の実施の形態】
図１及び図２は、本発明を実施したデジタルカメラ２と、スタンド３との構成を示す外観斜視図である。デジタルカメラ２の前面には、撮影レンズ４が組み込まれたレンズ鏡筒５、ファインダ６を構成する対物側ファインダ窓７、被写体に向けてストロボ光を照射するストロボ発光部８、シャッタレリーズ操作に用いられるシャッタボタン９、タイマ撮影時に点滅して撮影タイミングを知らせるセルフタイマ用発光部１０、マイク１１等が設けられている。レンズ鏡筒５は、デジタルカメラ２が電源オフ状態にある際に、デジタルカメラ２の前面に設けられた鏡筒収納部１２内に収納され、電源オンとともにデジタルカメラ２の前面から突出する。
【０００８】
デジタルカメラ２の一方の側面には、メモリカード１６がセットされるメモリカードスロット１７が設けられている。このメモリカードスロット１７の奥には、メモリカード１６へのデータの読み書きを行なうメモリカードリーダが内蔵されている。メモリカードスロット１７は、塵芥の侵入等を防止するために、開閉式の保護カバー１８によって保護されている。
【０００９】
デジタルカメラ２の背面には、ファインダ６を構成する接眼側ファインダ窓２０、操作部２１、ビューファインダとして機能する画像表示用ＬＣＤ２２等が設けられている。接眼側ファインダ２０の側方には、点灯，点滅してデジタルカメラ２の状態を知らせるファインダ発光部２３が設けられている。操作部２１内には、複数の操作ボタン２４〜２７と、各種設定等の情報を表示する設定用ＬＣＤ２８とが設けられている。
【００１０】
デジタルカメラ２は、スチル撮影を行なう撮影モードと、撮影画像を再生する再生モードと、パーソナルコンピュータ等の外部機器とのデータの送受信を行なう通信モードと、パーソナルコンピュータに接続して動画及び音声入力用のＰＣカメラとして機能するＰＣカメラモードと、インターホンに接続して来訪者の音声データとメモリーカードに保存した音声データとの照合をするインターホンモードという複数の動作モードを備えており、これらの動作モードの切り換えは操作部２１で行われる。
【００１１】
デジタルカメラ２には、バッテリ３０がセットされるバッテリ室が設けられている。デジタルカメラ２の底面には、バッテリ室にアクセスするための開口部３１が設けられている。この開口部３１は、蓋部材３２によって開閉される。バッテリ室には、充電可能なバッテリ３０がセットされる。
【００１２】
スタンド３は、略台形状であり、上面にデジタルカメラ２が載置される凹形状の載置部３４が設けられている。スタンド３は、未使用時のデジタルカメラ３を安定して保持する台として機能するとともに、充電や外部機器との接続を介在するターミナルとしても機能する。デジタルカメラ２がＰＣカメラモードにセットされた際には、デジタルカメラ２を被写体に向けて保持する三脚的な機能も果たす。
【００１３】
デジタルカメラ２の載置部３４内には、デジタルカメラ２の底面の接続コネクタ３５に嵌合して電気的に接続する接続端子３６と、バッテリ３０が装填される電池装填部３７とが設けられている。
【００１４】
スタンド３の前面には、スタンド３に接続されたデジタルカメラ２の電源のオン／オフを操作する電源ボタン３９と、状態表示用発光部４０とが設けられている。この状態表示用発光部４０の奥には、状態表示用ＬＥＤが組み込まれており、デジタルカメラ２の状態に応じて発光する。
【００１５】
スタンド３の背面には、外部へ音声データやＮＴＳＣ等のコンポジット信号を出力するＡ／Ｖ出力端子４５，外部からの音声データを入力するＡ／Ｖ入力端子４４、ＡＣ電源アダプタが接続されてＤＣ電源が供給されるＤＣ電源コネクタ４２，パーソナルコンピュータ等に接続されるＵｎｉｖｅｒｓａｌ  ＳｅｒｉａｌＢｕｓ（ＵＳＢ）コネクタ４３が設けられている。これらのコネクタ４２〜４５は、スタンド３内部で接続端子３６に接続されている。
【００１６】
図３は、本発明のデジタルカメラ２とスタンド３との電気的構成を示すブロック図であり、詳しくは図示しないが、レンズ鏡筒６４には、焦点調整を行なうフォーカス用モータと、ズーミングを行なうズーム用モータとが組み込まれている。これらのモータは、デジタルカメラ２全体を制御するＣＰＵ５１に接続されたモータドライバ７０によって駆動制御される。また、レンズ鏡筒６４内には、絞り兼用のシャッタユニットが組み込まれており、このシャッタユニットもＣＰＵ５１によって制御される。
【００１７】
レンズ鏡筒６４の背後には、撮影レンズを透過した被写体光が撮像されるＣＣＤ６５が配置されている。このＣＣＤ６５には、ＣＰＵ５１によって制御されるタイミングジェネレータ７１からタイミング信号（クロック信号）が入力される。ＣＣＤ６５から出力された信号は、相関二重サンプリング回路（ＣＤＳ）６６に入力され、ＣＣＤ６５の各セルの蓄積電荷量に正確に対応したＲ、Ｇ、Ｂの画像データとして出力される。ＣＤＳ６６から出力された画像データは、増幅器（ＡＭＰ）６７で増幅され、Ａ／Ｄ変換器６８でデジタルデータに変換される。
【００１８】
画像入力コントローラ６９は、データバス５６を介してＣＰＵ５１に接続されており、ＣＰＵ５１の命令によってＣＣＤ６５，ＣＤＳ６６，ＡＭＰ６７，Ａ／Ｄ変換器６８を制御する。また、Ａ／Ｄ変換器６８から出力された画像データをビデオメモリ５９、あるいはバッファメモリ６０に書き込む。
【００１９】
ビデオメモリ５９は、画像表示用ＬＣＤ２２をビューファインダとして使用する際に、解像度の低い画像データが一時的に記録される。ビデオメモリ５９に記録された画像データは、データバス５６を介してＬＣＤドライバ５４に送られ、画像表示用ＬＣＤ２２に表示される。バッファメモリ６０は、撮像された高解像度の画像データが一時的に記録される。このバッファメモリ６０から読み出された画像データは、メディアコントローラ５５によって駆動制御されるメモリカードリーダによりメモリカード１６に記録される。
【００２０】
画像信号処理回路７２は、撮像された高解像度の画像データがバッファメモリ６０内に記録されている間に、例えば階調変換、色変換、画像の超低周波輝度成分の階調を圧縮するハイパートーン処理、粒状を抑制しながらシャープネスを強調するハイパーシャープネス処理等の画像処理を施す。
【００２１】
音声は、マイク１１で音声信号に変換され、さらにＡ／Ｄ変換器１３で音声データに変換され、この音声データがＣＰＵ５１からの命令により、メディアコントローラ５５によって駆動制御されるメモリカードリーダによりメモリカード１６に記録される。
【００２２】
また、デジタルカメラ２をパーソナルコンピュータに接続して、ＰＣカメラとして使用する場合には、撮像された画像データがビデオメモリ５９に保存され、この画像データが圧縮処理回路７３によって圧縮された後に、バッファメモリ６０に記録される。バッファメモリ６０は、ＰＣカメラモードにある際に、その記録領域が三分割して使用され、各領域の圧縮画像データを順次パーソナルコンピュータに送る。これにより、パーソナルコンピュータにコマ落ちなく動画像を表示することができる。
【００２３】
データバス５６には、ＣＰＵ５１に制御されてパーソナルコンピュータとのデータ通信を行なうパソコン用通信回路５７が接続されている。このパソコン用通信回路５７は、デジタルカメラ２底面のＡ／Ｖ出入力接続部３５に接続されている。このＡ／Ｖ出入力接続部３５と接続端子３６との接続によって、スタンド３のＵＳＢコネクタ４３がパソコン用通信回路５７に接続されることになる。
【００２４】
また、データバス５６には、Ａ／Ｖ出力回路５８が接続されている。このＡ／Ｖ出力回路５８は、Ａ／Ｖ出入力接続部３５と接続端子３６とを介してＡ／Ｖ出力端子４５に接続される。Ａ／Ｖ出力回路５８は、画像データをＮＴＳＣ等のコンポジット信号に変換し、Ａ／Ｖ出力端子４５に接続されたモニタやビデオレコーダに出力する。
【００２５】
音声Ａ／Ｄ変換部５２はＡ／Ｖ出入力接続部３５と音声データ照合部５３とに接続されている。この音声Ａ／Ｄ変換部５２は、Ａ／Ｖ出入力接続部３５から送られてきた音声データをデジタルデータに変換し、音声データ照合部５３に送る。音声データ照合部５３では、送られてきたデータとメモリーカード１６に保存された音声データとの照合を行う。
【００２６】
スタンド３には、充電回路４８が組み込まれている。この充電回路４８は、ＤＣ電源コネクタ４２と、接続端子３６とに接続されている。スタンド３にデジタルカメラ２が載置されると、Ａ／Ｖ出入力接続部３５と接続端子３６とを介してデジタルカメラ２内のバッテリ３０に充電回路４８が接続される。充電回路４８は、バッテリ３０の電圧を測定し、測定電圧が規定電圧以下であった場合に自動的に充電を行なう。また、充電回路４８は、電池装填部３７にも接続されており、電池装填部３７にセットされたバッテリの充電も行なう。このように、充電回路４８をスタンド３に設けたことにより、デジタルカメラ２を小型軽量化できる。さらには、デジタルカメラ２はスタンド３によって安定して保持される。
【００２７】
図４に本発明を実施したデジタルカメラ２をインターホン８０に接続した外観斜視図を示す。インターホン８０は室内ユニット９１と室外ユニット８１とから構成される。室内ユニット９１は室内に設置されスタンド３に装着されたデジタルカメラ２と接続される。室外ユニット８１は室外に配置されドア施錠制御部８８に接続される。室外ユニット８１は、音声入力部８２と、スイッチ８３と、音声出力部８４と、室外通信回路８５とからなり、音声入力部８２と、スイッチ８３と、音声出力部８４とは、それぞれ室外通信回路８５に接続されており、室外通信回路８５とドア施錠制御部８８はドアケーブル８９を介して接続されている。室内ユニット９１は、通話機器９２（受話器等）と、室内通信回路９３と、ドア施錠解除信号発信部９４とからなり、通話機器９２（受話器等）と、室内通信回路９３とは、それぞれ室内通信回路９３に接続している。室外通信回路８５と室内通信回路９３は通信ケーブル８６を介して接続されており、室外と室内の音声通信が可能な構成になっている。室内ユニット９１とスタンド３は、Ａ／Ｖケーブル９６ａ、９６ｂを介して接続されており、スタンド３とデジタルカメラ２は上述したように接続されている。
【００２８】
来訪者は、スイッチ８３を押しながら音声入力部８２に音声を入力する。その音声データは、室外通信回路８５、通信ケーブル８６、室内通信回路９３、Ａ／Ｖ入力ケーブル９６ａ、Ａ／Ｖ入力端子４４、接続端子３６、Ａ／Ｖ出入力接続部３５を介して、音声Ａ／Ｄ変換部５２に送られ、デジタル信号に変換され、音声データ照合部５３に送られる。音声データ照合部５３では、来訪者の音声データと、メディアコントローラ５５を介し、メインＣＰＵ５１によってメモリーカード１６から引き出されたあらかじめ入力済の音声データとの照合を行い、照合結果を、メインＣＰＵ５１からＬＣＤドライバ５４を介して、画像表示用ＬＣＤ２２に送り、表示する。音声データ照合は、声紋による照合や、キーワードによる照合等によって行われる。なお、図６のように、デジタルカメラ２はスイッチ８３が押されると電源が入り、来訪者に対応した動作の終了後は電源が切れるような構成になっている。
【００２９】
メモリーカード１６には、あらかじめ、指定した人物（例えば、家族やよく家に来訪する友人）の音声・画像・名前のデータを入力し、図５ａのように、入室許可を与える音声データと、アナウンスをする音声データＩ・IIとに分類分けしておく。なお、メモリーカード１６のデータ追加・削除及び、分類分けの変更は可能であり、図５ｂのように、今日は佐藤さんを入室許可を与える音声データに登録する、というような対応をとることができる。
【００３０】
音声データ照合の結果、入室許可を与える音声データと来訪者音声データとが一致した場合には、メディアコントローラ５５を介し、メインＣＰＵ５１によってメモリーカード１６から引き出された、その来訪者の画像・名前のデータを、メインＣＰＵ５１からＬＣＤドライバ５４を介して、画像表示用ＬＣＤ２２に送り表示する。それと共に、メディアコントローラ５５を介し、メインＣＰＵ５１によってメモリーカード１６から引き出された、あらかじめ入力しておいたドア施錠解除信号発信部９４にドア施錠解除信号を発信させる信号がメインＣＰＵ５１より発信され、Ａ／Ｖ出入力接続部３５、接続端子３６、Ａ／Ｖ出力端子４５、Ａ／Ｖ出力ケーブル９６ｂ、室内通信回路９３を介してドア施錠解除信号発信部９４に送られ、ドア施錠解除信号が発信される。そのドア施錠解除信号は室内通信回路９３、通信ケーブル８６、室外通信回路８５、ドアケーブル８９を介してドア施錠制御部８８に送られ、ドア施錠解除が行われる。
【００３１】
音声データ照合の結果、アナウンスをする音声データと来訪者音声データとが一致した場合には、上述した経路を通り、その音声データ者の画像・名前のデータを画像表示用ＬＣＤ２２に表示する。それと共に、上述した経路を通り、メモリーカード１６から引き出された、あらかじめ入力しておいた音声データに対応したアナウンスを行う信号が、メインＣＰＵ５１より発信され、Ａ／Ｖ出入力接続部３５、接続端子３６、Ａ／Ｖ出力端子４５、Ａ／Ｖ出力ケーブル９６ｂ、室内通信回路９３、通信ケーブル８６を介して室外通信回路８５に送られ、音声出力部８４から、先程の音声データに対応したアナウンスが行われる。
【００３２】
音声データ照合の結果、メモリーカードの音声データと来訪者音声データが一致しない場合には、上述した経路を通り、あらかじめ入力しておいた「入力済の音声データと一致しません」というコメントを、画像表示ＬＣＤ２２に表示する。それと共に、上述した経路を通り、音声出力部８４から、あらかじめ入力しておいた再度音声入力を促すアナウンスが行われる。メモリーカードに入力済のデータと来訪者音声データが設定しておいた回数（例えば３回）で一致しない場合は、上述した経路を通り、音声出力部８４から、あらかじめ入力しておいた入室不許可のアナウンスが行われる。
【００３３】
音声データ照合の結果に関わらず、音声データ照合時に、その時の来訪者音声データ及び来訪時間データは、メディアコントローラ５５を介し、メインＣＰＵ５１によってメモリーカード１６に保存される。このことにより、居住者は、留守中の来訪者データを帰宅後に確認することができる。メモリーカードにデータ入力してある来訪者の場合は、画像データも表示される。また、保存した来訪者音声データをそのままメモリーカード１６の音声データ照合グループに加えることもできる。（ただし、この場合は画像データは無い事になる）
【００３４】
なお、室内ユニット９１には図示しないドア施錠解除ボタンが設けられており、このボタンを押したときにもドア施錠解除が行われる。また、デジタルカメラ２での各動作中においても、通話機器９２による対応も可能である。
【００３５】
また、音声データの入力時間を保存しておけることから、職場などに本発明のデジタルカメラ２を設置し、あらかじめ社員の音声データを入力しておき、タイムカードとして使用してもよい。
【００３６】
【発明の効果】
以上説明したように、本発明のデジタルカメラによれば、通常は画像データ及び音声データの記録・再生を行い、インターホンに接続した場合には保存された音声データと来訪者の音声データとの照合を行うことにより来訪者の特定をし、その来訪者に応じた対応をとることができる。
【図面の簡単な説明】
【図１】本発明のデジタルカメラとスタンドとの構成を示す前面外観斜視図である。
【図２】本発明のデジタルカメラとスタンドとの構成を示す背面外観斜視図である。
【図３】本発明のデジタルカメラとスタンドとの電気的構成を示すブロック図である。
【図４】本発明のデジタルカメラとスタンドとをインターホンに接続した外観斜視図である。
【図５】メモリーカードのデータを、入室許可を与える音声データとアナウンスをする音声データに分類分けした、一例の図である。
【図６】本発明のデジタルカメラとスタンドとをインターホンに接続した場合の動作の流れを示すフローチャートである。
【符号の説明】
２  デジタルカメラ
３  スタンド
１６  メモリーカード
２２  画像表示用ＬＣＤ
４４  Ａ／Ｖ入力端子
４５  Ａ／Ｖ出力端子
５３  音声データ照合部
８０  インターホン
８１  室外ユニット
９１  室内ユニット
【図１】
0003957514.tif 000002
【図２】
0003957514.tif 000003
【図３】
0003957514.tif 000004
【図４】
0003957514.tif 000005
【図５】
0003957514.tif 000006
【図６】
0003957514.tif 000007